【手続補正書】
【提出日】平成17年10月20日(2005.10.20)
【手続補正１】
【補正対象書類名】特許請求の範囲
【補正対象項目名】全文
【補正方法】変更
【補正の内容】
【特許請求の範囲】
【請求項１】
デュプレックスメッセ−ジングシステムでメッセージを送信する方法において、
第１のメッセージングステーションにおいて新しいメッセージの入力の開始を検出し、
新しいメッセージが入力されている期間中、および新しいメッセージが送信されるまで、第２のメッセ−ジングステーションから入来するメッセージを監視し、
入来するメッセージが監視期間中に検出されたならば、入来するメッセージに対して第１のメッセ−ジングステーションのユーザに警告するステップを含んでいる方法。
【請求項２】
第１のメッセ−ジングステーションはディスプレイを具備し、前記警告するステップは警告をディスプレイに表示するステップを含んでいる請求項１記載の方法。
【請求項３】
警告の表示はディスプレイ上で入来するメッセージの表示の強調を含んでいる請求項２記載の方法。
【請求項４】
さらに、第１のメッセ−ジングステーションのユーザに警告した後、ユーザにユーザが新しいメッセージの送信を進行することを望んでいるか否かを尋ねるステップを含んでいる請求項１記載の方法。
【請求項５】
メッセージサーバが第１と第２のメッセ−ジングステーションの中間に配置され、方法はさらに参照をメッセージサーバにより各メッセージへ割当てる処理を含んでいる請求項１記載の方法。
【請求項６】
さらに、監視ステップの前に第１と第２のメッセ−ジングステーション間に会話を設定するステップを含んでいる請求項１記載の方法。
【請求項７】
第１と第２のメッセ−ジングステーション間で送信されるメッセージはメッセージサーバを介して送信され、特定のメッセ−ジングステーションからメッセージサーバにより受信されるメッセージを受信するとき、方法はさらにメッセージサーバから特定のメッセ−ジングステーションへ承認を戻すことを含んでおり、承認は受信されるメッセージの参照を含んでいる請求項５記載の方法。
【請求項８】
各参照は特有である請求項５記載の方法。
【請求項９】
さらにメッセージサーバでそれぞれの参照を有する受信されたメッセージをログするステップを含んでいる請求項５記載の方法。
【請求項１０】
メッセージサーバはさらに、
特定の受信されるメッセージの参照を最後にログされたメッセージの参照と比較し、
特定の受信されるメッセージの参照と最後にログされたメッセージの参照が実質上同一ではないならば、特定の受信されるメッセージをクロスオバーとしてマークするステップを行う請求項９記載の方法。
【請求項１１】
さらに、クロスオバーが第１と第２のメッセージングステーションの一方または両者で検出される指示を表示することを含んでいる請求項１０記載の方法。
【請求項１２】
指示はクロスオバーのコンテキストを含んでいる請求項１１記載の方法。
【請求項１３】
メッセージが第１のメッセージングステーションと第２のメッセージングステーションとの間でメッセージサーバを介して送信されるデュプレックスメッセージングシステムでメッセージを送信する方法において、
サーバで第１のメッセージを受信し、
第１の参照を第１のメッセージに割当て、
第１のメッセージと第１の参照をログにログし、
第１のメッセージ後にサーバで第２のメッセージを受信し、第２のメッセージは先のメッセージに対する第２の参照を含み、
第２のメッセージと、第２の参照をサーバにログし、
第２の参照を第２のメッセージのすぐ前に先行するログの参照と比較し、
第２の参照とログのすぐ前に先行する参照が実質上一致していないときメッセージのクロスオバーが存在することを示すステップを含んでいる方法。
【請求項１４】
指示は第１と第２のメッセージングステーションの一方または両者へ指示を送信することを含んでいる請求項１３記載の方法。
【請求項１５】
指示はアイコンを含んでいる請求項１４記載の方法。
【請求項１６】
指示はクロスオバーのコンテキストを示している請求項１４記載の方法。
【請求項１７】
各参照は特有である請求項１３記載の方法。
【請求項１８】
第１と第２のメッセージングステーションの１つから第１と第２のメッセージの少なくとも１つを受信するとき、サーバは第１と第２のメッセージの少なくとも１つと、それぞれの参照を第１と第２のメッセージングステーションへ転送する請求項１３記載の方法。
【請求項１９】
さらに、第１と第２のメッセージの少なくとも１つの承認の受信を含んでおり、承認はそれぞれの参照を含んでいる請求項１８記載の方法。
【請求項２０】
第１および第２の商取引業者がデュプレックスメッセージング環境でトレーダーのワークステーション間でのメッセージの交換によってインスツルメントの商取引を交渉する会話取引方法において、
第１のトレーダーのワークステーションにおいて、第１のトレーダーと第２のトレーダー間の会話に関する第１のトレーダーによる新しいメッセージの入力の開始を検出し、
会話に関する第１のトレーダーのワークステーションへの入来するメッセージと、新しいメッセージの入力の検出された開始と第１のトレーダーワークステーションから第２のトレーダーのワークステーションへの新しいメッセージの送信の試行との間で受信されたメッセージを監視し、
入来するメッセージを検出したとき、第１のトレーダーに入来するメッセージに対して警告し、新しいメッセージの送信を中断するステップを含んでいる方法。
【請求項２１】
警告のステップは、第１のトレーダーのワークステーションのディスプレイ上で入来するメッセージの表示を強調するステップを含んでいる請求項２０記載の方法。
【請求項２２】
中断は第１のトレーダーが新しいメッセージを送信および変更し、送信または取消すことを可能にすることを含んでいる請求項２０記載の方法。
【請求項２３】
新しいメッセージを送信する第１の試行と、新しいメッセージまたは変更されたかリフレッシュメッセージを送信するその後の試行との間に入来するメッセージを監視し、
新しい入来するメッセージを検出したとき、その後の試行を中断することを含んでいる請求項２２記載の方法。
【請求項２４】
メッセージがメッセージサーバを介してトレーダーのワークステーション間で送信され、方法はさらに、
各メッセージをサーバで受信するとき、それぞれの参照をそれぞれのメッセージに割当て、
対応する参照を有するサーバで受信されたメッセージを記憶し、
サーバで受信された特定のメッセージの参照をサーバに最も最近記憶された参照と比較し、
比較された参照が同一ではないならば、メッセージのクロスオバーを一方または両者のトレーダーに通知するステップを含んでいる請求項２０記載の方法。
【請求項２５】
トレーダーがデュプレックスメッセージング環境でトレーダーのワークステーション間でのメッセージの交換によってインスツルメントの商取引を交渉する会話取引方法において、
第１のトレーダーのワークステーションにおいて、第１のトレーダーのワークステーションと第２のトレーダーのワークステーションとの間で進行中の会話に関する新しいメッセージの入力の開始を検出し、
新しいメッセージの入力の開始を検出したとき、会話に関する第１のトレーダーのワークステーションへの入来するメッセージを監視し、
入来するメッセージを検出したとき、新しいメッセージを送信する前に、第１のトレーダーに入来するメッセージを通知するステップを含んでいる方法。
【請求項２６】
トレーダーがデュプレックスメッセージング環境でメッセージサーバを介してそれぞれのトレーダーのワークステーション間でのメッセージの交換によってインスツルメントの商取引を交渉する会話取引方法において、
メッセージサーバにおいて；
第１のワークステーションから第１のメッセージを受信したとき、第１の参照を第１のメッセージに割当て、
第１のメッセージと第１の参照をログ中にログし、
第１のメッセージを第１の参照と共に目的とする受取りワークステーションへ転送し、
第１の参照と共に第１のワークステーションへの第１のメッセージを承認し、
第２のワークステーションからの第２の参照を含む第２のメッセージを受信するとき、第２の参照を第２のメッセージのすぐ前に先行するログ中の参照と比較し、第２の参照とログ中のすぐ前に先行する参照が同一ではないならば、第２のワークステーションにクロスオバーを通知し、
特定のワークステーションにおいて；
特定のワークステーションから相手のパーティのワークステーションへ送信される特定のトレーダーによる新しいメッセージの入力の開始を検出したとき、新しいメッセージが入力されている期間中、特定のワークステーションへ入来するメッセージを監視し、
入来するメッセージを検出したとき、特定のトレーダーに入来するメッセージについて警告するステップを含んでいる方法。
【請求項２７】
トレーダーがデュプレックスメッセージング環境でトレーダーのワークステーション間でのメッセージの交換によってインスツルメントの商取引を交渉し、メッセージは、メッセージサーバを介して交換され、メッセージサーバはメッセージが受信されたときそのメッセージをログし、受信されたメッセージを送信した送信パーティへ受信されたメッセージを承認する会話取引方法において、
第１のメッセージングステーションから第１のメッセージを受信し、
第１の参照を第１のメッセージに割当て、
第１のメッセージと第１の参照をログ中にログし、
第１のメッセージの後にサーバで第２のメッセージングステーションから第２のメッセージを受信し、第２のメッセージは先のメッセージに対する第２の参照を含んでおり、
第２のメッセージと、第２の参照とをサーバにログし、
第２の参照を第２のメッセージのすぐ前に先行するログの参照と比較し、
第２の参照とログのすぐ前に先行する参照が実質上一致しないときメッセージのクロスオバーが存在することを第１と第２のメッセージングステーションの一方または両者に通知するステップを含んでいる方法。
【請求項２８】
会話メッセージを交換するため複数のメッセージングステーションを有するデュプレックスメッセージングシステムにおいて、
メッセージングシステムで相手のパーティとの既存の会話に関する新しいメッセージの入力の開始を検出する手段と、
新しいメッセージが入力される間に、相手のパーティから入来するメッセージを監視する監視手段と、
監視手段により検出される入来するメッセージについてユーザに警告する警告手段とを具備しているシステム。
【請求項２９】
各メッセージングステーションはさらに、ディスプレイと、警告手段により発生される警告を表示する手段とを具備している請求項２８記載のシステム。
【請求項３０】
警告手段はディスプレイ上の検出された入来するメッセージを強調する請求項２９記載のシステム。
【請求項３１】
少なくとも幾つかのメッセージングステーションはメッセージを入力するためのキーボードを具備し、検出手段はキーボードからキーストロークを検出する手段を具備している請求項２８記載のシステム。
【請求項３２】
各ワークステーションは完了したメッセージを送信する手段を具備し、
警告手段は入来するメッセージが検出されているならば送信する手段を禁止する手段を具備し、
送信手段は警告手段からの警告に応答して新しいメッセージを確認し、修正しまたは取消す手段を具備している請求項２８記載のシステム。
【請求項３３】
監視手段はさらに警告手段による警告の発生後および送信手段による修正されたメッセージの送信の試行前に受信された付加的な入来するメッセージを監視し、
警告手段はさらに警告を発生し、付加的な入来するメッセージを検出したときに手段が修正されたメッセージを送信することを禁止する請求項３２記載のシステム。
【請求項３４】
さらに、送信者のワークステーションにより送信された入来するメッセージを受信するメッセージサーバを具備し、サーバは、
入来するメッセージをログするメッセージログと、
それぞれの参照を各入来するメッセージに割当てる手段と、
それぞれの割当てられた参照とそれぞれのメッセージをログするメッセージログとを具備している請求項２８記載のシステム。
【請求項３５】
サーバは特定のメッセージに割当てられたそれぞれの参照を特定のメッセージを送信する特定のパーティに通知する手段を具備している請求項３４記載のシステム。
【請求項３６】
サーバは特定のメッセージに割当てられた参照を特定のメッセージを送信する特定のパーティに通知する手段を具備している請求項３４記載のシステム。
【請求項３７】
サーバは選択されたメッセージに対するそれぞれの参照を有する選択メッセージに対して応答を受信し、
サーバは選択されたメッセージのそれぞれの参照を、最も最近ログされたメッセージの参照と比較する手段を具備し、
サーバは、選択メッセージのそれぞれの参照と、最も最近ログされたメッセージの参照が実質上同一ではないならば、選択メッセージの送信者と選択メッセージの目的とする受信者の一方または両者にクロスオバーを通知する請求項３６記載のシステム。
【請求項３８】
各メッセージステーションはメッセージサーバにより通知されるクロスオバーを表示する手段を含んでいる請求項３７記載のシステム。
【請求項３９】
会話メッセージを交換するため複数のメッセージングステーションを具備するデュプレックスメッセージングシステムにおいて、
特定のメッセージングステーションはその特定のメッセージステーションへの新しいメッセージの入力の開始を検出する検出器と、
新しいメッセージが入力される間に、前記複数のメッセージングステーションの他方から特定のメッセージングステーションへ入来するメッセージを監視するモニタと、
入来するメッセージを特定のメッセージングステーションのユーザに警告する警告を発生する警告発生器とを具備し、入来するメッセージは特定のメッセージングステーションと会話する別のメッセージングステーションから発生し、ユーザによる新しいメッセージの送信を試行する前に特定のメッセージングステーションで受信されるデュプレックスメッセージングシステム。
【請求項４０】
システムはさらに、入来するメッセージを受信し、それを目的とする目的地へ転送するメッセージングステーション間に配置されるメッセージサーバを具備し、そのメッセージサーバは、
それぞれの参照を送信者メッセージステーションからの入来するメッセージに割当てる参照発生器と、
それぞれの割当てられた参照を有する入来するメッセージをでログするメッセージログと、
受信された入来するメッセージを承認し、それぞれの割当てられた参照を送信者のメッセージステーションへ戻すメッセージ承認装置と、
受信された入来するメッセージをそれぞれの割当てられた参照と共に目的とする目的地へ転送するメッセージ転送装置と、
入来するメッセージの参照を、サーバでログされた最も最近の参照と比較する比較装置と、
比較装置により比較される参照が実質上同一ではないならば、入来するメッセージの送信者と受信者の一方または両者にクロスオバーを通知するクロスオバー通知装置とを具備している請求項３９記載のデュプレックスメッセージングシステム。
【請求項４１】
会話メッセージを交換する複数のメッセージングステーションと、
送信ステーションからメッセージを受信し、そのメッセージを目的とするステーションへ転送するメッセージングステーションの間に配置されたメッセージサーバと、
それぞれの参照を、送信メッセージングステーションから受信された入来するメッセージへ割当てる参照発生器と、
それぞれの参照を有する入来するメッセージをログするメッセージログと、
入来するメッセージを承認し、それぞれの参照を送信メッセージステーションへ戻すメッセージ承認装置と、
入来するメッセージをそれぞれの割当てられた参照と共に目的とする目的地へ転送するメッセージ転送装置と、
入来するメッセージの参照を、サーバでログされた最も最近の参照と比較する比較装置と、
比較装置により比較される参照が実質上同一ではないならば、入来する受信されたメッセージの送信者メッセージステーションと目的とする目的地ステーションの一方または両者にクロスオバーを通知するクロスオバー通知装置とを具備しているデュプレックスメッセージングシステム。
【請求項４２】
会話メッセージを交換する複数のメッセージングステーションと、
送信ステーションからメッセージを受信し、そのメッセージを目的とするステーションへ転送するメッセージングステーションの間に配置されたメッセージサーバを具備し、メッセージサーバは、
それぞれの参照を発生し、サーバで受信された各メッセージへそれぞれの特有の参照を割当てる手段と、
それぞれの参照を有する受信されたメッセージをログする手段と、
送信者メッセージステーションから受信された受信されたメッセージを承認し、それぞれの割当てられた参照を送信者メッセージステーションへ戻す手段と、
受信されたメッセージとそれぞれの参照を目的とする目的地へ転送する手段と、
受信されたメッセージの参照を、サーバでログされた最も最近の参照と比較する手段と、
比較手段により比較される参照が実質上同一ではないならば、受信されたメッセージの送信者メッセージステーションと目的とする目的地にクロスオバーを通知する手段とを具備しているデュプレックスメッセージングシステム。
【請求項４３】
デュプレックスメッセージング環境で動作するトレーダーのワークステーション間でのメッセージの交換によりトレーダー間の商取引の交渉のための会話取引システムにおいて、各トレーダーのワークステーションは、
トレーダーのワークステーションへの新しいメッセージの入力の開始を検出する手段と、
新しいメッセージが入力される期間中に、別の前記複数のワークステーションからトレーダーのワークステーションへの入来するメッセージを監視する監視手段と、
トレーダーのワークステーションと会話する別の複数のワークステーションから発生する監視手段により検出される入来するメッセージに対してトレーダーのワークステーションで動作するトレーダーに警告する警告手段とを具備しているシステム。
【請求項４４】
各ワークステーションは完了したメッセージを送信する手段を具備し、
警告手段は入来するメッセージが検出されている場合には送信手段を禁止する手段を含んでおり、
送信手段は警告手段からの警告に応答して新しいメッセージを確認し、修正しまたは取消す手段を具備している請求項４３記載のシステム。
【請求項４５】
監視手段は、警告手段による警告の発生後および送信手段による修正されたメッセージの送信の試行前に受信されたさらに入来するメッセージを監視し、
警告手段はさらに監視手段によりさらに入来するメッセージを検出したとき警告を発生し、送信手段が修正されたメッセージを送信することを禁止する請求項４４記載のシステム。
【請求項４６】
さらに、送信者のワークステーションにより送信される入来するメッセージを受信し、入来するメッセージを目的とする目的地のトレーダーワークステーションへ転送するメッセージサーバを具備し、サーバは、
入来するメッセージをログするメッセージログと、
それぞれの参照を各入来するメッセージに割当てる手段とを具備し、
メッセージログはそれぞれのメッセージを有するそれぞれの割当てられた参照をログする請求項４３記載のシステム。
【請求項４７】
サーバは特定のメッセージに割当てられたそれぞれの参照を特定のメッセージを送信する送信パーティに通知する手段を具備している請求項４６記載のシステム。
【請求項４８】
サーバは特定のメッセージに割当てられたそれぞれの割当てられた参照を特定のメッセージを受信するパーティに通知する手段を具備している請求項４６記載のシステム。
【請求項４９】
サーバは選択メッセージへのそれぞれの参照を有する選択メッセージに対する応答を受信し、
サーバは選択メッセージのそれぞれの参照を最も最近ログされたメッセージの参照と比較する手段を具備し、
サーバは、選択メッセージの参照と最も最近ログされたメッセージの参照が実質上同一ではないならば、選択されたメッセージの送信者と、選択されたメッセージの目的とする受信者の一方または両者にクロスオバーを通知する手段を具備している請求項４６記載のシステム。
【請求項５０】
トレーダーによるインスツルメントの交渉商取引のための会話取引システムにおいて、
デュプレックスメッセージング環境で会話メッセージを交換する複数のトレーダーの端末と、
トレーダーの端末間に配置され、トレーダーの端末からメッセージを受信し、メッセージを目的とする受取りトレーダー端末へ送信するメッセージサーバとを具備し、メッセージサーバは、
送信トレーダー端末から受信された入来するメッセージへそれぞれの参照を割当てる参照発生器と、
それぞれの割当てられた参照を有する入来するメッセージをログするメッセージログと、
入来するメッセージを承認し、それぞれの参照を送信トレーダー端末へ戻すメッセージ承認装置と、
それぞれの割当てられた参照と共に、入来するメッセージを目的とする受取りトレーダー端末へ転送するメッセージ転送装置と、
入来するメッセージの参照を、サーバでログされた最も最近の参照と比較する比較装置と、
比較装置により比較される参照が実質上同一ではないならば、入来するメッセージの送信者と受信者の一方または両者にクロスオバーを通知するクロスオバー通知装置とを具備しているシステム。
【請求項５１】
トレーダー間の交渉商取引のための会話取引システムにおいて、
デュプレックスメッセージング環境においてトレーダー間で会話メッセージを交換する複数のトレーダーの端末と、
トレーダーの端末間に構成され、送信トレーダーの端末からメッセージを受信し、メッセージを目的とする目的地へ転送するメッセージサーバとを具備し、メッセージサーバは、
参照を発生し、それぞれの特有の参照を送信者のトレーダー端末からサーバで受信された入来するメッセージへ割当てる手段と、
それぞれの参照を有する入来するメッセージをログする手段と、
入来するメッセージを承認し、それぞれの割当てられた参照を送信者トレーダー端末へ戻す手段と、
入来するメッセージとそれぞれの参照を目的とする目的地端末へ転送する手段と、
入来するメッセージの参照を、サーバでログされた最も最近の参照と比較する手段と、
比較装置により比較される参照が実質上同一ではないならば、送信者トレーダー端末と目的とする目的地端末の少なくとも１つにクロスオバーを通知する手段とを具備しているシステム。
【請求項５２】
デュプレックスメッセージング環境において、商取引がトレーダー端末間の会話メッセージの交換により交渉される会話取引システムのトレーダー端末において、
トレーダーの端末への新しいメッセージの入力の開始を検出し、
新しいメッセージの入力の開始を検出した後に受信されたトレーダーの端末へ入来する会話メッセージを監視する監視手段と、
トレーダー端末を使用するトレーダーへ監視手段により検出され、トレーダー端末と会話するパーティから発生する入来するメッセージに対して警告する警告手段とを具備しているトレーダー端末。
【請求項５３】
さらに、トレーダーの端末から完了されたメッセージを送信する手段を具備し、
警告手段は入来するメッセージが検出されるならば送信手段を禁止する手段を具備し、
送信手段は警告手段からの敬称に応答して新しいメッセージを確認し、修正し、または取消す手段を具備している請求項５２記載のトレーダー端末。
【請求項５４】
監視手段はさらに、警告手段による警告の発生後および新しいメッセージの再送信の試行前に受信される皿に入来するメッセージを監視する手段を具備し、警告手段はさらに入来するメッセージを検出するときにさらに警告を発生する手段を具備している請求項５３記載のトレーダー端末。
【請求項５５】
デュプレックスメッセージング環境において、商取引がトレーダー端末間の会話メッセージの交換により交渉される会話取引システムのトレーダー端末において、
トレーダーの端末への新しい会話メッセージの入力の開始を検出する検出器と、
新しいメッセージの開始と新しいメッセージの送信の試行との間で受信されたトレーダー端末への入来する会話メッセージを監視する監視装置と、
トレーダー端末を使用するトレーダーへ監視手段により検出され、トレーダー端末と会話するパーティから発生する入来するメッセージに対する警告をする警告発生器とを具備しているトレーダー端末。
【請求項５６】
第１のトレーダーの端末へのトレーダーによる新しいメッセージの入力の開始を検出し、
新しいメッセージが入力されている期間中に、および新しいメッセージが送信されるまで、第２のトレーダーの端末から入来するメッセージを監視し、
入来するメッセージが監視中に検出されるならば、第１のトレーダーの端末のユーザに入来するメッセージを警告するステップを行うためのデータを記憶するコンピュータの読み取り可能な記憶媒体。